(57)【特許請求の範囲】
【請求項１】
車体フレームの前部にキャスターを取り付けて左右一対の前輪を構成するとともに、車体フレームの後部には電動モータで駆動する左右一対の後輪を設け、前記車体フレームにシートを前後輪に跨るように載置し、このシートの左右に設けられた一方のアームレストの前方には、走行方向や走行速度などを制御するコントロールレバーを配置する一方、前記車体フレームの下方には、前記電動モータに給電するためのバッテリーを収納するバッテリーケースを配置してなる電動車椅子において、
前記バッテリーを充電するための充電機を収納する充電ボックスを、前記バッテリーケースの外側面であって、前記一方のアームレストの前方に配置したコントロールレバーのシートに対する設置側と左右方向で反対側の位置に設ける一方、この充電ボックスの外側面で前後輪の間にコードボックスを設け、
このコードボックスには、開成時に上方に向かって開口するコード収納ポケット部を開閉自在に設け、このポケット部には、コイルスプリングを埋設して伸縮自在に構成した前記充電機の電源コードを引き出し可能な状態で収納したことを特徴とする電動車椅子の充電装置。
【発明の詳細な説明】
【０００１】
【発明の属する技術分野】
この発明は、充電の操作が簡単にできるようにした電動車椅子の充電装置に関する。
【０００２】
【従来の技術】
電動モーターで駆動して走行できる電動車椅子は、一つのコントローラーで、車椅子の走行動作をコントロールすることができて、体の不自由な人にとっては、大変都合がよい。電動車椅子は、搭載しているバッテリーを所定の走行距離毎に充電しなければならない。家庭用のＡＣ１００Ｖの電源コンセントがあれば、搭載した充電機で、外出先でも充電できるようにしたものがある。
【０００３】
例えば、特開平７−２１３５６０号公報に示されたものは、電動車椅子のシートの後側に、充電機を備えると共に、家庭用電源に接続するコードを備えていて、外出先でも充電できるようにしてある。そして、コードは、リコイル式で、リールに巻込んであって、適宜引出して家庭用電源コンセントに接続して、バッテリーを充電できるようにしてある。
【０００４】
【発明が解決しようとする課題】
しかしながら、特開平７−２１３５６０号公報に示されたものは、電動車椅子を使用している人が充電の操作をしようとすると、車から降りて操作をしなければならず、体の不自由度が大きい人にとっては、不可能なことがある。又、リコイル式のコードは、電気掃除機などで広く用いられているが、使用期間が長くなると、コードを巻込む巻取りスプリングがへたって、完全に巻込まなくなり、コードが一部出たままになって、引きずるようになることがある。又、リコイル式のコードリールは、巻込みスプリングを収容するために、コードの収容装置が大きくなる。
【０００５】
かかる点に鑑み、この発明は、電動車椅子を使用している人が、車椅子に乗ったままで、片手で充電の操作ができ、家庭用電源に接続するコードを収容するコードボックスも小型で、搭載に便利な電動車椅子の充電装置を得ることを目的とする。
【０００６】
【課題を解決するための手段】
上記目的を達成するために、この発明の電動車椅子の充電装置は、車体フレームの前部にキャスターを取り付けて左右一対の前輪を構成するとともに、車体フレームの後部には電動モータで駆動する左右一対の後輪を設け、前記車体フレームにシートを前後輪に跨るように載置し、このシートの左右に設けられた一方のアームレストの前方には、走行方向や走行速度などを制御するコントロールレバーを配置する一方、前記車体フレームの下方には、前記電動モータに給電するためのバッテリーを収納するバッテリーケースを配置してなる電動車椅子において、前記バッテリーを充電するための充電機を収納する充電ボックスを、前記バッテリーケースの外側面であって、前記一方アームレストの前方に配置したコントロールレバーのシートに対する設置側と左右方向で反対側の位置に設ける一方、この充電ボックスの外側面で前後輪の間にコードボックスを設け、このコードボックスには、開成時に上方に向かって開口するコード収納ポケット部を開閉自在に設け、このポケット部には、コイルスプリングを埋設して伸縮自在に構成した前記充電機の電源コードを引き出し可能な状態で収納したことにある。
【０００７】
前記充電ボックスとコードボックスは、前記コントロールレバーのシートに対する設置側と左右方向に対して反対側に位置する前記バッテリーケースの外側面に配置されているのが好ましい。
【０００８】
本発明によれば、家庭用電源に接続するコードを収容したコード収納ポケット部は、車椅子の側面等の充電ボックスに取付られているので、電動車椅子を家庭用電源の横に乗り着ければ、電動車椅子を使用している人が、電動車椅子に腰掛けたままで、片手でコード収納ポケット部を開いてコードを引出し、家庭用電源に接続して、搭載したバッテリーを充電することができる。又、コード収納ポケット部は、リコイル式の巻込みスプリングを備えたものでないので、小型で邪魔になることが少ないようにできる。
【０００９】
また、コード収納ポケット部を前輪および後輪の間から側方へ向いて開放するので、乗員が手を伸ばせばコードを取り出しやすく片手でコードを取り扱うことができ、充電操作ができ便利である。
なお、コード収納ポケット部は、バネで開くように付勢しておき、コードボックスを閉じているラッチをワンタッチで開くものにしておけば、コードボックスの開閉が簡単にできる。
【００１０】
【発明の実施の形態】
以下、本発明の実施形態を図１乃至図４によって説明する。電動車椅子は、車体フレーム１前部にキャスターがついた左右の前輪２と後部に左右の後輪３を備え、左右の後輪３を電動モーター４で駆動して走行する。そして、走行方向、走行スピード、制動などの運転操作は、シート６のアームレスト６ａの前方にあるコントロールレバー５の操作だけでできるようになっている。電動モーター４を駆動するバッテリーは、シート６の下側（下方）に装着したバッテリーケース７内に収容しておく。シート６は車体フレーム１に対して開閉でき、車体フレーム１に固定されたバッテリーケース７はシート６の開放で取扱いが容易にできる。
【００１１】
バッテリーケース７の片側側面には、前輪２と後輪３の間にほぼ位置させて、充電ボックス部８を一体に設け、該ボックス部８内に充電機が完全防水状態で格納されている。充電ボックス８部は、配線コード９の挿通個所にはグロメット１０を用い、ビスの挿入孔にはシール条を用いるなどして防水し、雨水などが入らないようにしてある。充電ボックス部８の外側面には、上面が開いたコードボックス１１の下端を、横軸１２を通してコの字形状のブラケット１２ａにより揺動可能に軸着する。横軸１２の両端は、サークリップ（あるいはＥリング）１３で止めるようにしてある。コードボックス１１は、上端に先端に幅広部の形成された爪片１４を備え、爪片１４先端部が、充電ボックス部８に取付けたラッチ１５に掛止するようにしてある。ラッチ１５は、爪片１４をレバーなどで操作するものでもよいが、爪片１４を押込むと止り、次に爪片１４を押込むと開くワンタッチ式のものが都合がよい。そして、コードボックス１１は、横軸１２に挿入したコイル状のバネ１６で、上側が外側に開くように付勢する。
【００１２】
コードボックス１１内には、先端に差込プラグ１７を連結したコード１８を収容する。コード１８は、コイルスプリングをコード１８内に埋設して、小さく曲って収まるものが都合がよい。又、差込みプラグ１７は、大きく扱い易いものが、体の不自由な人には都合がよい。コードボックス１１の周りは、カバー１９で覆い、カバー１９は、充電ボックス８に取付けたブラケット２０にビス止めする。カバー１９には、大きい窓孔２１が設けてあり、窓孔２１にコードボックス１１が揺動して車体側方へ向けて出てくるようにしてある。コードボックス１１には、ストッパー２２が設けてあって、コードボックス１１の上面開口がカバー１９の外側に露出する位置でカバー１９に当って止り、それ以上は開かないようにしてある。又、コードボックスにはクランプ２３を設けてコード１８の根本を通し、所定量以上にコード１８が引張られてもこのクランプ２３でふんばり、充電機側に引張り負荷が過大にかからないようにしている。
【００１３】
電動車車椅子を使用する人は、家庭用電源のある横に電動車椅子を乗り着ければ、電動車椅子に腰掛けたままで、片手でコードボックス１１を開き、コード１８を取出して差込みプラグ１７を家庭用電源に接続して、バッテリーを充電することができる。充電ボックス８及びコードボックス１１は、電動車椅子を使用する人の体の障害に合せて、バッテリーケース７の左右どちらかの側を選択して取付ける側を決めればよい。また、充電ボックス部８は車体フレーム１に設けたのでシート６の改造が自由にできる。
【００１４】
【発明の効果】
以上説明したように、この発明は上述のように構成したので、充電するコードを収容したコード収納ポケット部は、上方に開きコードを取り出しやすい。また、該収納ポケット部は、電動車椅子の側面の電動車椅子に腰掛けた人の脇にあり、腰掛けた姿勢のままで、片手でコード収納ポケット部を開いてコードを取出し、家庭用電源に差込みプラグを差込んで接続して、バッテリーを外出先などでも充電することができる。又、コード収納ポケット部は、リコイル式の巻取りスプリングを用いていないので、その分だけ小型で邪魔にならないものにできる。
【００１５】
そして、コード収納ポケット部は、バネで開くように付勢し、コードボックスを止るラッチをワンタッチのものにしておけば、コード収納ポケット部の開閉操作が、押すだけで開閉が可能で片手でコード引き出しが可能であるので手の不自由な人にとっては、より都合がよいものにできる。
【図面の簡単な説明】
【図１】本発明の実施形態を示す全体斜視図である。
【図２】本発明の実施形態を示す要部の側面図である。
【図３】本発明の実施形態を示すカバーを縦断した要部の背面図である。
【図４】本発明の実施形態を示す要部の分解斜視図である。
【符号の説明】
２  前輪
３  後輪
６  シート
７  バッテリーケース
８  充電ボックス
１１  コードボックス
１５  ラッチ
１６  バネ
１８  コード
１９  カバー
【図１】
0003575187.tif 000002
【図２】
0003575187.tif 000003
【図３】
0003575187.tif 000004
【図４】
0003575187.tif 000005